(57)【要約】【課題】  顕微鏡の照明コンポーネント等のためのより単純で、費用対効果がより大きい調整装置を提供すること。【解決手段】  顕微鏡の照明コンポーネントのための調整装置であって、該調整装置は、第１バレルコンポーネント；該第１バレルコンポーネントに包囲され、照明コンポーネントを格納しかつ支持するための第２バレルコンポーネントであって、該第１バレルコンポーネントの軸と該第２バレルコンポーネントの軸が相互に一致又は平行に延在するもの；及び複数の設定ネジであって、各設定ネジの一端が該第１バレルコンポーネントの側壁に結合され、各設定ネジの他端が該第２バレルコンポーネントの側壁に押圧されるものを含む。【選択図】図１
2015219524.tif 000002
【特許請求の範囲】
【請求項１】
顕微鏡の照明コンポーネントのための調整装置であって、
該調整装置は、
第１バレルコンポーネント；
該第１バレルコンポーネントに包囲され、照明コンポーネントを格納しかつ支持するための第２バレルコンポーネントであって、該第１バレルコンポーネントの軸と該第２バレルコンポーネントの軸が相互に一致又は平行に延在するもの；及び
複数の設定ネジであって、各設定ネジの一端が該第１バレルコンポーネントの側壁に結合され、各設定ネジの他端が該第２バレルコンポーネントの側壁に押圧されるもの
を含むこと
を特徴とする調整装置。
【請求項２】
該調整装置は、更に、その一端が前記第１バレルコンポーネントに結合される支持アームを含むこと
を特徴とする請求項１に記載の調整装置。
【請求項３】
使用時において、前記支持アームの他端は、前記第１及び第２バレルコンポーネントの軸が顕微鏡のステージの表面に対し直角をなすよう、顕微鏡の本体に結合されること
を特徴とする請求項２に記載の調整装置。
【請求項４】
使用時において、前記複数の設定ネジの各々の他端と前記第２バレルコンポーネントの間の摩擦力は、前記第２バレルコンポーネントが、前記第１バレルコンポーネントに対する相対的静止状態を維持することができ、かつ、前記第１バレルコンポーネントの軸の方向に前記第１バレルコンポーネントに対し相対的に上下に摺動できるようなものであること
を特徴とする請求項３に記載の調整装置。
【請求項５】
各設定ネジの一端は、前記第１バレルコンポーネントの側壁のネジ穴を介して、前記第１バレルコンポーネントの側壁に結合されること
を特徴とする請求項１に記載の調整装置。
【請求項６】
前記複数の設定ネジは第１設定ネジ及び第２設定ネジを含み、
該第１設定ネジの一端が前記第１バレルコンポーネントの側壁に結合される該第１設定ネジの結合点と、該第２設定ネジの一端が前記第１バレルコンポーネントの側壁に結合される該第２設定ネジの結合点を結ぶラインは、前記第１バレルコンポーネントの軸のそばを通過し、かつ、該軸に対し直角をなすこと
を特徴とする請求項１に記載の調整装置。
【請求項７】
前記複数の設定ネジは、第１設定ネジ、第２設定ネジ及び第３設定ネジを含み、
これらの設定ネジの一端が前記第１バレルコンポーネントの側壁に夫々結合する該第１設定ネジ、該第２設定ネジ及び該第３設定ネジの夫々の結合点は、互いに対し等しい距離で離隔され、かつ、前記第１バレルコンポーネントの軸に対し直角をなす同じ面に位置すること
を特徴とする請求項１に記載の調整装置。
【請求項８】
前記複数の設定ネジは、更に、第４設定ネジを含み、
該第４設定ネジの一端が前記第１バレルコンポーネントの側壁に結合される該第４設定ネジの結合点と、前記第１設定ネジ、前記第２設定ネジ及び前記第３設定ネジの１つの一端が前記第１バレルコンポーネントの側壁に結合される前記第１設定ネジ、前記第２設定ネジ及び前記第３設定ネジの１つの結合点を結ぶラインは、前記第１バレルコンポーネントの軸に対し平行であること
を特徴とする請求項７に記載の調整装置。
【請求項９】
前記第１設定ネジ、前記第２設定ネジ及び前記第３設定ネジの夫々の前記第１バレルコンポーネントの側壁との結合点は前記第１バレルコンポーネントの側壁の上側部分に位置付けられ、及び、前記第４設定ネジの前記第１バレルコンポーネントの側壁との結合点は前記第１バレルコンポーネントの側壁の下側部分に位置付けられること
を特徴とする請求項８に記載の調整装置。
【請求項１０】
前記複数の設定ネジは、更に、第５設定ネジ及び第６設定ネジを含み、
前記第１設定ネジ及び前記第４設定ネジの夫々の前記第１バレルコンポーネントの側壁との結合点を結ぶライン、前記第２設定ネジ及び該第５設定ネジの夫々の前記第１バレルコンポーネントの側壁との結合点を結ぶライン、及び、前記第３設定ネジ及び該第６設定ネジの夫々の前記第１バレルコンポーネントの側壁との結合点を結ぶラインは、すべて、前記第１バレルコンポーネントの軸に対し平行であること
を特徴とする請求項８に記載の調整装置。
【請求項１１】
前記第１設定ネジ、前記第２設定ネジ及び前記第３設定ネジの夫々の前記第１バレルコンポーネントの側壁との結合点は前記第１バレルコンポーネントの側壁の上側部分に位置付けられ、及び、前記第４設定ネジ、前記第５設定ネジ及び前記第６設定ネジの夫々の前記第１バレルコンポーネントの側壁との結合点は前記第１バレルコンポーネントの側壁の下側部分に位置付けられること
を特徴とする請求項１０に記載の調整装置。
【請求項１２】
該調整装置は、更に、第１設定ロッド及び第２設定ロッドを含み、
該第１設定ロッド及び該第２設定ロッドの夫々の長手方向は、前記第１バレルコンポーネントの軸に対し平行であり、かつ、前記第１設定ネジ、前記第２設定ネジ及び前記第３設定ネジの何れか２つの前記第１バレルコンポーネントとの結合点と夫々整列されること
を特徴とする請求項８に記載の調整装置。
【請求項１３】
前記第１設定ネジ、前記第２設定ネジ及び前記第３設定ネジの夫々の前記第１バレルコンポーネントの側壁との結合点は前記第１バレルコンポーネントの側壁の上側部分に位置付けられ、前記第４設定ネジの前記第１バレルコンポーネントの側壁との結合点は前記第１バレルコンポーネントの側壁の下側部分に位置付けられ、及び、前記第１設定ロッド及び前記第２設定ロッドは前記第１バレルコンポーネントの側壁の下側部分に位置付けられること
を特徴とする請求項１２に記載の調整装置。
【請求項１４】
前記第２バレルコンポーネントの側壁は前記第２バレルコンポーネントの軸に対し平行な条溝を有すること、及び、
該調整装置は、更に、その一端が前記第１バレルコンポーネントの側壁に結合されかつその他端が付勢されて該条溝に嵌め込まれかつ該条溝に沿って摺動可能な少なくとも１つの回動防止ネジを含むこと
を特徴とする請求項１〜１３の何れかに記載の調整装置。
【請求項１５】
前記第２バレルコンポーネントの側壁は前記第２バレルコンポーネントの軸に対し平行な条溝を有し、前記複数の設定ネジの少なくとも１つの他端は付勢されて該条溝に嵌め込まれかつ該条溝に沿って摺動可能であること
を特徴とする請求項１〜１３の何れかに記載の調整装置。
【請求項１６】
前記複数の調整ネジの少なくとも１つの一端の頭部は、手動での調整を容易にするために、前記第１バレルコンポーネントの側壁から突出すること
を特徴とする請求項１〜１３の何れかに記載の調整装置。
【請求項１７】
前記第２バレルコンポーネントの側壁は前記第２バレルコンポーネントの軸に対し平行な条溝を有し、該条溝はその中に少なくとも１つの係止穴を有すること、及び
該調整装置は、更に、係止コンポーネントを含み、該係止コンポーネントの一端は前記第１バレルコンポーネントの側壁に結合され、かつ、その他端は付勢されて該条溝に嵌め込まれ、該条溝に沿って摺動可能でありかつ該少なくとも１つの係止穴に配置可能であること
を特徴とする請求項１〜１３の何れかに記載の調整装置。
【請求項１８】
前記係止コンポーネントは固定ネジ、スプリング及び鋼球を含み、該固定ネジの一端は前記第１バレルコンポーネントの側壁に結合され、該スプリングは該固定ネジに外嵌され、該スプリングの一端は該固定ネジに結合されかつその他端は該鋼球に押圧されること
を特徴とする請求項１７に記載の調整装置。
【請求項１９】
顕微鏡のための照明装置であって、
該照明装置は、
請求項１〜１８の何れかに記載の調整装置；及び
該調整装置の第２バレルコンポーネントに固定されかつ該第２バレルコンポーネントの内部の空間内に含まれる照明コンポーネント
を含むこと
を特徴とする照明装置。
【請求項２０】
請求項１９に記載の照明装置を含む顕微鏡。
【発明の詳細な説明】
【技術分野】
【０００１】
本発明は、顕微鏡法の技術分野に関し、とりわけ、顕微鏡の照明コンポーネントのための調整装置、そのような調整装置を含む顕微鏡照明装置及び顕微鏡に関する。
【背景技術】
【０００２】
一般に、顕微鏡は、顕微鏡のステージに載置される観察されるべき対象ないし試料（被検対象）を照明するための照明コンポーネント、例えばコンデンサ（集光装置）、を含む。一般に、照明コンポーネントは、光を所望の位置に集光するよう、調整装置によって調整されることができる。典型的には、照明コンポーネントの運動は、ラック構造（rack structure）を用いて達成される。しかしながら、ラック構造は、より大きな空間を占有し、取付け面に対する要求が大きいため、コストがより大きくなる。
【先行技術文献】
【特許文献】
【０００３】
【特許文献１】ＣＮ ２８６７３７１Ｙ
【特許文献２】ＵＳ ２０１３／０３３５８２０ Ａ１
【発明の概要】
【発明が解決しようとする課題】
【０００４】
本発明は、より単純で、費用対効果がより大きい顕微鏡の照明コンポーネントのための調整装置、そのような調整装置を含む顕微鏡照明装置及び顕微鏡を提供することである。
【課題を解決するための手段】
【０００５】
本発明の第１の視点により、顕微鏡の照明コンポーネントのための調整装置が提供される。この調整装置は、
第１バレルコンポーネント；
該第１バレルコンポーネントに包囲され（encased）、照明コンポーネントを格納しかつ支持するための第２バレルコンポーネントであって、該第１バレルコンポーネントの軸と該第２バレルコンポーネントの軸が相互に一致又は平行に延在するもの；及び
複数の設定ネジであって、各設定ネジの一端（結合端）が該第１バレルコンポーネントの側壁に結合され、各設定ネジの他端（自由端）が該第２バレルコンポーネントの側壁に押圧されるもの
を含む。
【発明を実施するための形態】
【０００６】
本発明の調整装置の一実施形態に応じ、調整装置は、更に、その一端が第１バレルコンポーネントに結合される支持アームを含むことが好ましい。
【０００７】
本発明の調整装置の一実施形態に応じ、使用時に、照明コンポーネントは第２バレルコンポーネントに確保（ないし固定的に保持）され、かつ、第２バレルコンポーネントの内部の空間に含まれることが好ましい。
【０００８】
本発明の調整装置の一実施形態に応じ、使用時において、支持アームの他端は、第１及び第２バレルコンポーネントの軸が顕微鏡のステージの表面に対し直角をなすよう、顕微鏡の本体に結合されることが好ましい。
【０００９】
本発明の調整装置の一実施形態に応じ、使用時において、複数の設定ネジの各々の他端と第２バレルコンポーネントの間の摩擦力は、第２バレルコンポーネントが、第１バレルコンポーネントに対する相対的静止状態を維持することができ、かつ、第１バレルコンポーネントの軸の方向に第１バレルコンポーネントに対し相対的に上下に摺動できるようなものであることが好ましい。
【００１０】
本発明の調整装置の一実施形態に応じ、各設定ネジの他端は、摩擦を生成可能でありかつ弾性（弾力性）を有する材料で形成（ないし作成）されることが好ましい。
【００１１】
本発明の調整装置の一実施形態に応じ、各設定ネジの他端はエンジニアリングプラスチックから形成されることが好ましい。
【００１２】
本発明の調整装置の一実施形態に応じ、各設定ネジの他端はナイロン材料で形成されることが好ましい。
【００１３】
本発明の調整装置の一実施形態に応じ、各設定ネジの他端はテフロン（登録商標）材料で形成されることが好ましい。
【００１４】
本発明の調整装置の一実施形態に応じ、各設定ネジの一端は、第１バレルコンポーネントの側壁のネジ穴を介して、第１バレルコンポーネントの側壁に結合されることが好ましい。
【００１５】
本発明の調整装置の一実施形態に応じ、複数の設定ネジは第１設定ネジ及び第２設定ネジを含み、
第１設定ネジの一端が第１バレルコンポーネントの側壁に結合される第１設定ネジの結合点と、第２設定ネジの一端が第１バレルコンポーネントの側壁に結合される第２設定ネジの結合点を結ぶラインは、第１バレルコンポーネントの軸のそばを通過し、かつ、該軸に対し直角をなすことが好ましい。
【００１６】
本発明の調整装置の一実施形態に応じ、複数の設定ネジは、第１設定ネジ、第２設定ネジ及び第３設定ネジを含み、
これらの設定ネジの一端が第１バレルコンポーネントの側壁に夫々結合する第１設定ネジ、第２設定ネジ及び第３設定ネジの夫々の結合点は、互いに対し等しい距離で離隔され、かつ、第１バレルコンポーネントの軸に対し直角をなす同じ面に位置することが好ましい。
【００１７】
本発明の調整装置の一実施形態に応じ、複数の設定ネジは、更に、第４設定ネジを含み、
第４設定ネジの一端が第１バレルコンポーネントの側壁に結合される第４設定ネジの結合点と、第１設定ネジ、第２設定ネジ及び第３設定ネジの１つの一端が第１バレルコンポーネントの側壁に結合される第１設定ネジ、第２設定ネジ及び第３設定ネジの１つの結合点を結ぶラインは、第１バレルコンポーネントの軸に対し平行であることが好ましい。
【００１８】
本発明の調整装置の一実施形態に応じ、第１設定ネジ、第２設定ネジ及び第３設定ネジの夫々の第１バレルコンポーネントの側壁との結合点は第１バレルコンポーネントの側壁の上側部分に位置付けられ、及び、第４設定ネジの第１バレルコンポーネントの側壁との結合点は第１バレルコンポーネントの側壁の下側部分に位置付けられることが好ましい。
【００１９】
本発明の調整装置の一実施形態に応じ、複数の設定ネジは、更に、第５設定ネジ及び第６設定ネジを含み、
第１設定ネジ及び第４設定ネジの夫々の第１バレルコンポーネントの側壁との結合点を結ぶライン、第２設定ネジ及び第５設定ネジの夫々の第１バレルコンポーネントの側壁との結合点を結ぶライン、及び、第３設定ネジ及び第６設定ネジの夫々の第１バレルコンポーネントの側壁との結合点を結ぶラインは、すべて、第１バレルコンポーネントの軸に対し平行であることが好ましい。
【００２０】
本発明の調整装置の一実施形態に応じ、第１設定ネジ、第２設定ネジ及び第３設定ネジの夫々の第１バレルコンポーネントの側壁との結合点は第１バレルコンポーネントの側壁の上側部分に位置付けられ、及び、第４設定ネジ、第５設定ネジ及び第６設定ネジの夫々の第１バレルコンポーネントの側壁との結合点は第１バレルコンポーネントの側壁の下側部分に位置付けられることが好ましい。
【００２１】
本発明の調整装置の一実施形態に応じ、該調整装置は、更に、第１設定ロッド及び第２設定ロッドを含み、
第１設定ロッド及び第２設定ロッドの夫々の長手方向は、第１バレルコンポーネントの軸に対し平行であり、かつ、第１設定ネジ、第２設定ネジ及び第３設定ネジの何れか２つの第１バレルコンポーネントとの結合点と夫々整列されることが好ましい。
【００２２】
本発明の調整装置の一実施形態に応じ、第１設定ネジ、第２設定ネジ及び第３設定ネジの夫々の第１バレルコンポーネントの側壁との結合点は第１バレルコンポーネントの側壁の上側部分に位置付けられ、第４設定ネジの第１バレルコンポーネントの側壁との結合点は第１バレルコンポーネントの側壁の下側部分に位置付けられ、及び、第１ロッド及び第２ロッドは第１バレルコンポーネントの側壁の下側部分に位置付けられることが好ましい。
【００２３】
本発明の調整装置の一実施形態に応じ、第２バレルコンポーネントの側壁は第２バレルコンポーネントの軸に対し平行な条溝を有すること、及び、
該調整装置は、更に、その一端が第１バレルコンポーネントの側壁に結合されかつその他端が付勢されて条溝に嵌め込まれかつ条溝に沿って摺動可能な少なくとも１つの回動防止ネジを含むことが好ましい。
【００２４】
本発明の調整装置の一実施形態に応じ、第２バレルコンポーネントの側壁は第２バレルコンポーネントの軸に対し平行な条溝を有し、複数の設定ネジの少なくとも１つの他端は付勢されて条溝に嵌め込まれかつ条溝に沿って摺動可能であることが好ましい。
【００２５】
本発明の調整装置の一実施形態に応じ、複数の調整ネジの少なくとも１つの一端の頭部は、手動での調整を容易にするために、第１バレルコンポーネントの側壁から突出することが好ましい。
【００２６】
本発明の調整装置の一実施形態に応じ、第２バレルコンポーネントの側壁は第２バレルコンポーネントの軸に対し平行な条溝を有し、条溝はその中に少なくとも１つの係止穴を有すること、及び
該調整装置は、更に、係止コンポーネントを含み、係止コンポーネントの一端は第１バレルコンポーネントの側壁に結合され、かつ、その他端は付勢されて条溝に嵌め込まれ、条溝に沿って摺動可能でありかつ少なくとも１つの係止穴に係止（ないしストップ係止）可能であることが好ましい。
【００２７】
本発明の調整装置の一実施形態に応じ、係止コンポーネントは固定ネジ、スプリング及び鋼球を含み、固定ネジの一端は第１バレルコンポーネントの側壁に結合され、スプリングは固定ネジに外嵌され、スプリングの一端は固定ネジに結合されかつその他端は鋼球に押圧されることが好ましい。
【００２８】
本発明の第２の視点により、顕微鏡のための照明装置が提供される。該照明装置は、
上記調整装置；及び
該調整装置の第２バレルコンポーネントに固定されかつ第２バレルコンポーネントの内部の空間内に含まれる照明コンポーネントを含む。
【００２９】
本発明の第３の視点により、上記照明装置を含む顕微鏡が提供される。
【００３０】
本発明の調整装置、本発明の種々の実施形態に応じた調整装置を有する照明装置及び顕微鏡によって、従来の調整装置のギア及びラック部品を廃することができるため、本発明の構造は、より単純であり、製造上の便宜もより大きく、かつ、取付け面に対する大きな要求を廃することができるため、所要空間をより小さくかつ所要コストをより小さくすることができる。更に、幾つかの実施形態では、設定ネジは摩擦手段としてナイロン製端部（自由端部ヘッド）を使用するため、バレルコンポーネントの外壁が傷つけられる危険性は小さくなる。更に、幾つかの実施形態では、調整装置は、当該調整装置を支持するために、その一端が使用時に第１バレルコンポーネントに結合されかつその他端が顕微鏡の本体に結合される支持アームを含むことも可能であり、従って、調整装置は、照明コンポーネントの支持及びコンデンサ（集光装置）の移動という２つの機能を有し得る。
【００３１】
以下に、本発明の実施例を図面を参照して詳細に説明する。
【図面の簡単な説明】
【００３２】
【図１】本発明の一実施形態に応じた調整装置を有する顕微鏡の一例の概観図。
【図２】本発明の種々の実施形態に応じた異なる調整状態にある調整装置の一例の模式図（ａ、ｂ）。
【図３】本発明の種々の実施形態に応じた調整装置の一例の拡大斜視図。但し、支持アームの側壁の一部が取り除かれてその内部構造が視認可能になっている。
【図４】本発明の種々の実施形態に応じた調整装置の一例の側面図と正面図（ａ、ｂ）。
【図５】本発明の種々の実施形態に応じた調整装置の一例の条溝に沿って切断した断面図。
【実施例】
【００３３】
図１は、調整装置に含まれる照明コンポーネントを有する顕微鏡の一例を示す。図１は、調整装置の２つの構成要素即ち第１バレルコンポーネント１１４と第２バレルコンポーネント１１５を示す。ここで、照明コンポーネントを格納しかつ支持するための第２バレルコンポーネント１１５は第１バレルコンポーネント１１４に包囲される（貫通して配設される：encased）が、これらの軸は相互に一致するか又は平行に延在する。図１以下の実施例においては、簡略化のために、第１バレルコンポーネント１１４及び第２バレルコンポーネント１１５の軸ＯＯ’は、相互に一致するものとして説明及び図示する。使用時には、照明コンポーネントは第２バレルコンポーネント１１５に固定され、第２バレルコンポーネント１１５の内部の空間内に含まれる。更に、図１には支持アーム１１６が示されているが、その一端は第１バレルコンポーネント１１４に固定され、使用時において、その他端は、第１バレルコンポーネント１１４及び第２バレルコンポーネント１１５の軸ＯＯ’が顕微鏡のステージ２の表面に対し直角をなすよう、顕微鏡の本体１に固定される。なお、添付の図面に示された支持アーム１１６は湾曲した流線型の形状をなしているが、支持アーム１１６は他の適切な形状に構成されることも可能である。以下の説明においては、調整装置と支持アーム１１６は互いに別体の構成要素として説明されるが、調整装置が支持アーム１１６を含んだり、調整装置の第１バレルコンポーネント１１４が支持アームと一体的に構成されたりする実施例もある。更に、図１には、第１バレルコンポーネント１１４の側壁から突出するネジ１０９が示されている。以下に、本発明の種々の実施形態に応じた調整装置の構造を、図１〜図５に関連して詳細に説明する。
【００３４】
１つの実施例では、調整装置は、第１バレルコンポーネント１１４及び第２バレルコンポーネント１１５に加え、複数の設定ネジも含み、これらの設定ネジの各々の一端（結合端）は第１バレルコンポーネント１１４の側壁に結合され、それらの他端（自由端）は第２バレルコンポーネント１１５の側壁に押圧される（押し付けられる）。１つの実施例では、各設定ネジは、第１バレルコンポーネントの側壁のネジ穴に挿入（ないし螺入）されることにより、第１バレルコンポーネントの側壁に結合される。調整装置の他端が第２バレルコンポーネント１１５の側壁に当接（圧接）することにより生成される圧力は、ネジ穴内で設定ネジを締めたり緩めたりすることで調整することができ、それにより、設定ネジの他端と第２バレルコンポーネント１１５の側壁の間の摩擦力を変化させることができる。１つの実施例では、各設定ネジの他端（自由端ないし当接端）は、摩擦を生成することができかつ弾性（弾力性）を有する材料、例えばエンジニアリングプラスチックで作成（ないし形成）される。この場合、好適なエンジニアリングプラスチックには、例えば、ナイロン又はテフロン（登録商標）材料が含まれる。顕微鏡への取り付けが、設定ネジの締付け又は弛緩によって行われる場合、設定ネジの他端と第２バレルコンポーネント１１５の間の摩擦力は、第２バレルコンポーネント１１５が第１バレルコンポーネント１１４に対する相対的静止状態を維持することができ、かつ、適切な外力が印加されている間に第１バレルコンポーネント１１４の側壁に沿って軸ＯＯ’の方向に摺動できるよう、適切な大きさに維持されることができる。このように、顕微鏡に取り付けられた後、第１バレルコンポーネント１１４と第２バレルコンポーネント１１５は、照明コンポーネントを調整する必要がなければ、相対的静止状態に維持される。他方、照明コンポーネントを調整する必要がある場合、第２バレルコンポーネント１１５に昇降力（上昇方向又は下降方向の力）を印加することにより、第２バレルコンポーネント１１５は軸ＯＯ’の方向に第１バレルコンポーネント１１４に対し相対的に上下に（上方及び下方に）摺動できる。
【００３５】
１つの実施例では、複数の設定ネジは２つの設定ネジ即ち第１設定ネジと第２設定ネジを含む。この場合、第１設定ネジの結合点（ここにおいて第１設定ネジの一端が第１バレルコンポーネントの側壁に結合する）と第２設定ネジの結合点（ここにおいて第２設定ネジの一端が第１バレルコンポーネントの側壁に結合する）とを結ぶラインは、第１バレルコンポーネントの軸のそばを通過し、かつ、該軸に対し直角をなす。第１バレルコンポーネントと第２バレルコンポーネントは、外力がなければ、該２つの設定ネジの作用により静止状態を維持する。また、昇降力が第２バレルコンポーネント１１５に印加される間、第２バレルコンポーネント１１５は、軸ＯＯ’の方向に第１バレルコンポーネント１１４に対し相対的に上下に摺動することができる。
【００３６】
更なる実施例を図２〜図５に示す。この実施例では、複数の設定ネジは、第１設定ネジ１０１、第２設定ネジ１１０及び第３設定ネジ１１１を含み、これらのネジの各々の第１バレルコンポーネント１１４の側壁との結合点（即ち、第１設定ネジ１０１の第１バレルコンポーネント１１４の側壁との結合点、第２設定ネジ１１０の第１バレルコンポーネント１１４の側壁との結合点及び第３設定ネジ１１１の第１バレルコンポーネント１１４の側壁との結合点）は、互いに対し等しい距離で離隔され、かつ、軸ＯＯ’に対し直角をなす同じ面に位置する。
【００３７】
選択的に、図２〜図５に示されるように、複数の設定ネジは、更に、第４設定ネジ１０２を含む。この場合、第４設定ネジ１０２の第１バレルコンポーネント１１４の側壁との結合点と第１設定ネジ１０１の第１バレルコンポーネント１１４の側壁との結合点は軸ＬＬ’（図示省略、図５の断面の上下方向）の方向に互いに対し整列される、即ち、第４設定ネジ１０２の第１バレルコンポーネント１１４の側壁との結合点と第１設定ネジ１０１の第１バレルコンポーネント１１４の側壁との結合点を結ぶラインは軸ＯＯ’に対し平行である。選択的に、第１設定ネジ１０１、第２設定ネジ１１０及び第３設定ネジ１１１の各々の第１バレルコンポーネントの側壁との結合点は第１バレルコンポーネント１１４の側壁の上側部分に位置付けられ、第４設定ネジ１０２の第１バレルコンポーネント１１４の側壁との結合点は第１バレルコンポーネント１１４の側壁の下側部分に位置付けられる。
【００３８】
選択的に、図２〜図５に示されるように、調整装置は、上述の設定ネジに加えて、更に、第１バレルコンポーネント１１４に結合されかつ第２バレルコンポーネント１１５の側壁に対し押圧される第１設定ロッド１１２及び第２設定ロッド１１３を含み、これらの設定ロッドの夫々の長手方向は軸ＯＯ’に対し平行でありかつ対応する第２設定ネジ１１０及び第３設定ネジ１１１の第１バレルコンポーネント１１４との結合点と夫々整列される。一実施例では、第１設定ロッド１１２と第２設定ロッド１１２は、第１バレルコンポーネント１１４の底部に位置する対応するスロットに挿設される。なお、第１設定ロッド１１２と第２設定ロッド１１３は、他の適切な態様で第１バレルコンポーネント１１４に結合することも可能である。選択的に、各設定ロッドは、摩擦を生成可能でありかつ弾性（弾力性）を有する材料、例えばエンジニアリングプラスチックで作成することも可能である。なお、好適なエンジニアリングプラスチックには、例えばナイロン又はテフロン（登録商標）材料が含まれる。第２バレルコンポーネント１１５が第１バレルコンポーネント１１４に対し相対的に上下に摺動する際、軸ＯＯ’に対し平行な第１設定ロッド１１２及び第２設定ロッド１１３は、軸ＯＯ’の周りでの第２バレルコンポーネント１１５の回動を阻止する摩擦モーメントを生成することができる。更に、第２バレルコンポーネント１１５の回動又は傾動は、第４設定ネジ１０２、第１設定ロッド１１２及び第２設定ロッド１１３と、対応する第１設定ネジ１０１、第２設定ネジ１１０及び第３設定ネジ１１１との整列によって阻止することができる。
【００３９】
選択的に、第１設定ロッド１１２と第２設定ロッド１１３は、２つの設定ネジ（夫々の一端は第１バレルコンポーネント１１４の側壁に結合され、夫々の他端は第２バレルコンポーネント１１５の側壁に対し押圧される）で置換可能である。同様に、各設定ネジの他端（自由端）は、摩擦を生成可能でありかつ弾性（弾力性）を有する材料、例えばエンジニアリングプラスチックで作成することも可能であり、この場合、好適なエンジニアリングプラスチックには、例えばナイロン又はテフロン（登録商標）材料が含まれる。選択的に、これらの２つの設定ネジは、第４設定ネジ１０２と同じ面内に位置付けられ、夫々、軸ＯＯ’の方向に第１設定ネジ１０１、第２設定ネジ１１０及び第３設定ネジ１１１と整列される。
【００４０】
選択的に、図２〜図５に示すように、第２バレルコンポーネント１１５の側壁に軸ＯＯ’に対し平行に条溝１０８が形成される。１つの実施例では、上述の複数の設定ネジの少なくとも１つの設定ネジの他端（自由端）は、付勢されて条溝１０８内に嵌め込まれ、条溝１０８に沿って上下に摺動することができる。そのような構造は、第２バレルコンポーネント１１５の回動を阻止することもできる。代替的に、少なくとも１つの回動防止ネジ１０３を追加的に設けることも可能である。なお、この回動防止ネジ１０３の一端は第１バレルコンポーネント１１４の側壁に結合され、その他端は付勢されて条溝１０８内に嵌め込まれ、条溝１０８に沿って上下に摺動することができる。選択的に、上述の設定ネジの少なくとも１つ及び／又は回動防止ネジ１０３は、摩擦を生成可能でありかつ弾性（弾力性）を有する材料、例えばエンジニアリングプラスチックで作成することも可能であり、この場合、好適なエンジニアリングプラスチックには、例えばナイロン又はテフロン（登録商標）材料が含まれる。選択的に、回動防止ネジの第１バレルコンポーネント１１４との結合点は、第１バレルコンポーネント１１４の側壁の上側部分に位置付けられる。
【００４１】
選択的に、図２〜図５に示されるように、調整装置は、その一端が第１バレルコンポーネント１１４の側壁に結合されかつその他端が第２バレルコンポーネント１１５の側壁に押圧される調整ネジ１０９を含むことも可能である。なお、図示のように、調整ネジ１０９の一端の頭部は、操作者が調整ネジ１０９を指でつまんで回動して当該ネジを出し入れするために第１バレルコンポーネント１１４の側壁から突出する。調整ネジ１０９を回動して出し入れ（半径方向に位置調整）することによって、調整ネジ１０９が第２バレルコンポーネント１１５に当接する際の圧力を調整することができ、それによって、調整ネジ１０９の他端（自由端）と第２バレルコンポーネント１１５の間の摩擦力を調整することができる。１つの実施例では、調整ネジ１０９が適切に締め付けられていれば、たとえ上方又は下方を指向する外力が存在しても、第２バレルコンポーネント１１５は、容易には、第１バレルコンポーネント１１４に対し相対的に摺動しないであろう。また、照明コンポーネントが上下に調整される必要がある場合、調整ネジ１０９を緩める（外す方向に回す）ことにより、第２バレルコンポーネント１１５は、上方又は下方を指向する力の下で、第１バレルコンポーネント１１４に対し相対的に上下に摺動することができる。１つの実施例では、第２バレルコンポーネント１１５に当接する調整ネジ１０９の端部は、剛な（rigid）材料で作成される。他の実施例では、第２バレルコンポーネント１１５に当接する調整ネジ１０９の端部は、摩擦を生成可能でありかつ弾性（弾力性）を有する材料、例えばエンジニアリングプラスチックで作成することが可能であり、この場合、好適なエンジニアリングプラスチックには、例えばナイロン又はテフロン（登録商標）材料が含まれる。
【００４２】
選択的に、図２〜図５に示されるように、条溝（bar groove）１０８には、少なくとも１つの、例えば３つの係止穴１０７が形成される。選択的に、調整装置は、更に、その一端が第１バレルコンポーネント１１４の側壁に結合しかつその他端が付勢されて条溝１０８に嵌め込まれて条溝１０８に沿って上下に摺動可能でありかつ係止穴１０７に配置（係止）可能な係止コンポーネントを含む。図示の実施例では、係止コンポーネントは固定（締付け）ネジ１０６、スプリング１０４及び鋼球１０５を含み、固定（締付け）ネジ１０６の一端は第１バレルコンポーネント１１４の側壁に結合され、スプリングは固定（締付け）ネジ１０６に外嵌され（適合され）、スプリングの一端は固定（締付け）ネジ１０６に結合（保持）されかつその他端は鋼球１０５に押圧される。なお、係止コンポーネントは他の適切な態様で構成することも可能である。
【００４３】
上述の実施形態ないし実施例及び図面の幾つかにおいては、調整装置は、上述の個々の構成要素を含むものとして説明され又は図示されているが、これらの構成要素は本発明を構成するために必ずしも不可欠というほどのものではなく、従って、本発明に応じた調整装置は、より少ない又はより多くの構成要素を含むことも可能である。
【００４４】
なお、本書に記載した複数の実施形態ないし実施例はそれぞれ単独で又は適切な任意の組み合わせで使用可能であると理解すべきである。また、上記の説明は、開示された実施形態ないし実施例の種々の態様を専ら説明するものと理解すべきである。更に、当業者であれば、本書に開示された実施形態ないし実施例の範囲を逸脱しない限りにおいて種々の置換及び修正をなし得る。従って、開示された実施形態ないし実施例の種々の態様は、添付の特許請求の範囲の枠内においてなし得るあらゆる置換、修正及び変更形態を含むものとする。
【符号の説明】
【００４５】
１０１    第１設定ネジ
１０２    第４設定ネジ
１０３    回動防止ネジ
１０４    スプリング
１０５    鋼球
１０６    固定（締付け）ネジ
１０７    係止穴（ストップ係止穴）
１０８    条溝
１０９    調整ネジ
１１０    第２設定ネジ
１１１    第３設定ネジ
１１２    第１ナイロンロッド
１１３    第２ナイロンロッド
１１４    第１バレルコンポーネント
１１５    第２バレルコンポーネント
１１６    支持アーム
【図１】
2015219524.tif 000003
【図２】
2015219524.tif 000004
【図３】
2015219524.tif 000005
【図４】
2015219524.tif 000006
【図５】
2015219524.tif 000007